(57)【要約】【課題】ＣＤリッピングを不要として、容易にＨＤＤにオーディオデータを保存することのできるデジタルコンテンツ記録装置を提供する。【解決手段】１０１はデジタルコンテンツ記録装置であり、ＣＤドライブ１０２、曲情報を取得する曲情報取得手段１０３、ＤＢ（ＤａｔａＢａｓｅ）ファイルを管理するＤＢ管理手段１０４、記録媒体１０５、曲情報を取得するための通信を行う通信手段１０６、オーディオデータを取得するオーディオデータ取得手段１０７から構成される。ＤＢ管理手段１０４は挿入されたＣＤに含まれる曲に関して、ＤＢファイルを更新し、“オーディオデータ取得”を許可するか否かを示す項目にチェックを入れる。このチェックがある曲の取得指示をオーディオデータ取得手段１０７に通知し、オーディオデータ取得手段１０７は通知されたオーディオデータを取得して記録媒体１０５に記録する。【選択図】図１
2006309840.tif 000002
【特許請求の範囲】
【請求項１】
複数のデジタルオーディオデータが記録されているコンテンツサーバからデジタルオーディオデータを取得して記録するデジタルコンテンツ記録装置であって、
音楽ＣＤに記録されたＴＯＣ（Ｔａｂｌｅ  Ｏｆ  Ｃｏｎｔｅｎｔｓ）情報を読み込むＣＤドライブと、
複数のデジタルオーディオデータを記録する記録媒体と、
前記記録媒体に記録されているデジタルオーディオデータの曲に関する情報を記録したＤＢ（ＤａｔａＢａｓｅ）ファイルを管理するＤＢ管理手段と、
前記ＴＯＣ情報を前記ＣＤドライブから受信して、該ＴＯＣ情報に基づいて特定された曲情報を取得し、該曲情報を前記ＤＢ管理手段に通知する曲情報取得手段と、
前記ＤＢ管理手段からの取得指示に基づいて前記コンテンツサーバから前記曲情報に対応するデジタルオーディオデータを取得して前記記録媒体に記録するオーディオデータ取得手段を備え、
前記ＤＢ管理手段は、前記曲情報取得手段から前記曲情報を受信し、前記曲情報が示す曲に関する情報が前記ＤＢファイルに含まれているか否かを判断し、前記ＤＢファイルに前記曲情報が示す曲に関する情報が含まれていない場合は前記ＤＢファイルに前記曲情報が示す曲に関する情報を追加して、オーディオデータ取得手段に前記曲情報に対応するデジタルオーディオデータを取得指示することを特徴とするデジタルコンテンツ記録装置。
【請求項２】
外部に備えられ複数の曲情報を管理する曲情報管理サーバと通信を行う通信手段を更に備え、
前記曲情報取得手段は受信したＴＯＣ情報を前記通信手段を介して前記曲情報管理サーバに通知するとともに、前記通知したＴＯＣ情報に基づいて前記曲情報管理サーバが特定した曲情報を前記通信手段を介して取得することを特徴とする請求項１記載のデジタルコンテンツ記録装置。
【請求項３】
前記コンテンツサーバは、複数のデジタルオーディオデータが記録されている外部記録媒体であり、さらに前記オーディオデータ取得手段は前記外部記録媒体に記録されたデータを読み込む外部記録媒体用ドライバであって、
前記外部記録媒体用ドライバは、前記ＤＢ管理手段から取得指示された曲のデジタルオーディオデータが前記外部記録媒体に記録されている場合には、前記デジタルオーディオデータを前記外部記録媒体から読み出して前記記録媒体に記録することを特徴とする請求項１記載のデジタルコンテンツ記録装置。
【請求項４】
前記ＤＢファイルの前記曲情報が示す曲に関する情報は、前記曲情報が示す曲のデジタルオーディオデータを前記記録媒体に記録することを許可するか否かを示す項目を含み、
前記ＤＢ管理手段は、前記曲情報が示す曲に関する情報が前記ＤＢファイルに含まれていない場合は前記項目を許可状態として追加し、前記項目に基づいてオーディオデータ取得手段に前記曲情報に対応するデジタルオーディオデータを取得指示し、前記オーディオデータ取得手段が該デジタルオーディオデータの取得を完了したら、前記ＤＢファイルの前記項目を更新する請求項１または２に記載のデジタルコンテンツ記録装置。
【請求項５】
前記ＤＢファイルには、前記記録媒体に記録されたデジタルオーディオデータのファイル名を表す項目が含まれており、
前記ＤＢ管理手段は、前記オーディオデータ取得手段が該デジタルオーディオデータの取得を完了したらファイル名を前記項目に記録し、
前記ファイル名を表す項目を用いて前記デジタルオーディオデータの取得指示を出すか否かを判断することを特徴とする請求項１に記載のデジタルコンテンツ記録装置。
【請求項６】
前記オーディオデータ取得手段は、取得指示された曲のデジタルオーディオデータが前記コンテンツサーバあるいは前記外部記録媒体に記録されていないとき、前記取得指示された曲のデジタルオーディオデータを取得する優先順位を変更することを特徴とする請求項１〜４のいずれかに記載のデジタルコンテンツ記録装置。
【請求項７】
前記デジタルコンテンツ記録装置は車に設置されることを特徴とする、請求項１〜６のいずれかに記載のデジタルコンテンツ記録装置。
【請求項８】
デジタルオーディオデータを記録媒体に記録するデジタルコンテンツ記録方法であって、
音楽ＣＤ（Ｃｏｍｐａｃｔ  Ｄｉｓｃ）に記録されたＴＯＣ情報を読み込むステップと、
前記読み込んだＴＯＣ情報を用いて前記音楽ＣＤに記録されている曲に関する曲情報を取得するステップと、
前記取得した曲情報が示す曲の情報がＤＢファイルに記録されているかを判断し、前記曲情報が示す曲の情報が前記ＤＢファイルに記録されていないときに、前記ＤＢファイルに前記曲情報が示す曲に関する情報を追加して、前記曲情報に対応するデジタルオーディオデータを取得するステップと、
前記取得したデジタルオーディオデータを前記記録媒体に記録するステップと、
を備えたことを特徴とするデジタルコンテンツ記録方法。
【発明の詳細な説明】
【技術分野】
【０００１】
本発明は、ＨＤＤ（Ｈａｒｄ  Ｄｉｓｋ  Ｄｒｉｖｅ）などの記録媒体にデジタルオーディオデータを保存するためのデジタルコンテンツ記録装置およびデジタルコンテンツ記録方法に関するものである。
【背景技術】
【０００２】
昨今、車載機器においてＨＤＤを搭載したものが普及してきている。ＨＤＤは大容量という特徴を活かして、カーナビゲーションの地図データの蓄積だけでなく、オーディオサーバとして利用されているものが多い。ほとんどの機器において、ＣＤを挿入するとそのＣＤに含まれた曲データはＭＰ３ (ＭＰＥＧ  Ａｕｄｉｏ  Ｌａｙｅｒ−３)などの圧縮方式で圧縮されＨＤＤに保存される。これをＣＤリッピングというが、ＣＤドライブの読込み速度、ＣＰＵの処理速度などから１枚のＣＤをリッピングするのに少なくとも数分の時間を必要とし、ＣＤに含まれている曲データをすべてリッピングするためにはこの間、ディスクを取り出すことはできない。
【０００３】
ディスクなしでＨＤＤに曲データを保存する、コンテンツ配信方法およびシステムが提案されている（例えば、特許文献１参照）。このシステムでは、ユーザがＣＤ購入時に同時にＩＤを購入し、そのＩＤを用いて購入したＣＤ内に含まれる曲のデータをダウンロードできるというもので、ＣＤリッピングを不要としてＨＤＤに曲データを容易に保存することができる。
【特許文献１】特開２００３−１０８１５２号公報
【発明の開示】
【発明が解決しようとする課題】
【０００４】
しかしながら、特許文献１のコンテンツ配信システムにおいては、ＩＤがＣＤ購入時にしか配布されず、例えばユーザがＣＤをレンタルしたときのことには言及されていない。
【０００５】
また、ＣＤ購入時にＩＤを同時に購入するとされているが、ＣＤは日々新しいものが登場し、多いものでは数百万枚と販売される。これらすべてにＩＤを割り当て、管理するのは非常に困難である。また、ＣＤはデジタルコンテンツであるためその寿命も長く、一度使用したＩＤを再利用することも難しい。
【０００６】
本発明は、従来の問題を解決するためになされたもので、より効率的にＣＤに記録された曲のデジタルオーディオデータをＨＤＤに保存することのできるデジタルコンテンツ記録装置およびデジタルコンテンツ記録方法を提供することを目的とする。
【課題を解決するための手段】
【０００７】
前記目的を達成するために、本発明のデジタルコンテンツ記録装置は、複数のデジタルオーディオデータが記録されているコンテンツサーバからデジタルオーディオデータを取得して記録するデジタルコンテンツ記録装置であって、音楽ＣＤに記録されたＴＯＣ（Ｔａｂｌｅ  Ｏｆ  Ｃｏｎｔｅｎｔｓ）情報を読み込むＣＤドライブと、複数のデジタルオーディオデータを記録する記録媒体と、記録媒体に記録されているデジタルオーディオデータの曲に関する情報を記録したＤＢ（ＤａｔａＢａｓｅ）ファイルを管理するＤＢ管理手段と、ＴＯＣ情報をＣＤドライブから受信して、ＴＯＣ情報に基づいて特定された曲情報を取得し、曲情報をＤＢ管理手段に通知する曲情報取得手段と、ＤＢ管理手段からの取得指示に基づいてコンテンツサーバから曲情報に対応するデジタルオーディオデータを取得して記録媒体に記録するオーディオデータ取得手段を備え、ＤＢ管理手段は、曲情報取得手段から曲情報を受信し、曲情報が示す曲に関する情報がＤＢファイルに含まれているか否かを判断し、ＤＢファイルに曲情報が示す曲に関する情報が含まれていない場合はＤＢファイルに曲情報が示す曲に関する情報を追加して、オーディオデータ取得手段に曲情報に対応するデジタルオーディオデータを取得指示することを特徴とする。
【０００８】
この構成により、一度挿入された音楽ＣＤに含まれる曲のデジタルオーディオデータはディスクがなくても取得を許可されることとなる。
【０００９】
また、上記構成において、外部に備えられ複数の曲情報を管理する曲情報管理サーバと通信を行う通信手段を更に備え、曲情報取得手段は受信したＴＯＣ情報を通信手段を介して曲情報管理サーバに通知するとともに、通知したＴＯＣ情報に基づいて曲情報管理サーバが特定した曲情報を通信手段を介して取得することを特徴とする。
【００１０】
この構成により、通信により曲情報が取得できるため、曲情報を内部で保有したり、更新したりする必要がなくなる。
【００１１】
また、コンテンツサーバは、複数のデジタルオーディオデータが記録されている外部記録媒体であり、さらにオーディオデータ取得手段は外部記録媒体に記録されたデータを読み込む外部記録媒体用ドライバであって、外部記録媒体用ドライバは、ＤＢ管理手段から取得指示された曲のデジタルオーディオデータが外部記録媒体に記録されている場合には、デジタルオーディオデータを外部記録媒体から読み出して記録媒体に記録する。
【００１２】
この構成により、デジタルオーディオデータを記録媒体に記録することを許可された曲はディスクがなくても外部記録媒体よりオーディオデータを取得可能となる。
【００１３】
また、ＤＢファイルの曲情報が示す曲に関する情報は、曲情報が示す曲のデジタルオーディオデータを記録媒体に記録することを許可するか否かを示す項目を含み、ＤＢ管理手段は、曲情報が示す曲に関する情報がＤＢファイルに含まれていない場合はその項目を許可状態として追加し、その項目に基づいてオーディオデータ取得手段に曲情報に対応するデジタルオーディオデータを取得指示し、オーディオデータ取得手段がデジタルオーディオデータの取得を完了したら、ＤＢファイルの項目を更新する。
【００１４】
この構成により、記録を許可された曲を容易に特定することができ、コンテンツサーバから取得可能な時にデジタルオーディオデータを特定して、取得することができる。
【００１５】
また、ＤＢファイルには、記録媒体に記録されたデジタルオーディオデータのファイル名を表す項目が含まれており、ＤＢ管理手段は、オーディオデータ取得手段がデジタルオーディオデータの取得を完了したらファイル名をその項目に記録し、ファイル名を表す項目を用いてデジタルオーディオデータの取得指示を出すか否かを判断する。
【００１６】
この構成により、ＤＢファイルをより簡素化することが可能となる。
【００１７】
また、オーディオデータ取得手段は、取得指示された曲のデジタルオーディオデータがコンテンツサーバあるいは外部記録媒体に記録されていないとき、取得指示を通知された曲のデジタルオーディオデータを取得する優先順位を変更する。
【００１８】
この構成により、デジタルオーディオデータがコンテンツサーバあるいは外部記録媒体に記録されていないと判断された曲について、コンテンツサーバあるいは外部記録媒体に記録されているか否かの確認回数を減らすこととなり、無駄な通信を防ぐことが可能となる。
【００１９】
また、デジタルコンテンツ記録装置は車に設置される。
【００２０】
この構成により、利用時間に制限があるデジタルコンテンツ記録装置において、ＣＤリッピングの完了を待つことなく、ディスクを取り出しても記録媒体にデジタルオーディオデータを記録することが可能となる。
【発明の効果】
【００２１】
本発明は、音楽ＣＤすべてにＩＤを割り当てる必要も無く、一度挿入された音楽ＣＤに含まれる曲のデジタルオーディオデータはディスクがなくても取得することができる。
【発明を実施するための最良の形態】
【００２２】
以下、本発明の実施の形態のデジタルコンテンツ記録システム、デジタルコンテンツ記録装置およびデジタルコンテンツ記録方法について、図面を用いて説明する。
【００２３】
本発明の実施の形態のデジタルコンテンツ記録システムを図１に示す。図１において、１０１はデジタルコンテンツ記録装置であり、ＣＤドライブ１０２、曲情報取得手段１０３、ＤＢ（ＤａｔａＢａｓｅ）管理手段１０４、記録媒体１０５、通信手段１０６、オーディオデータ取得手段１０７から構成される。本発明では再生に関しては従来のものと同様の機能をもっていればよいので説明を省略するが、実際には記録媒体１０５に保存されたオーディオデータを読み出して再生することでユーザは音楽を聴くことができる。なお、本実施の形態において、オーディオデータとは専用機器で楽曲を再生することが可能であるデジタルオーディオデータを意味することとする。
【００２４】
ＣＤドライブ１０２はユーザが挿入する音楽ＣＤ１１０に記録されているデータを読み込む。
【００２５】
曲情報取得手段１０３はＣＤドライブ１０２が読み込んだ音楽ＣＤ１１０に記録されたＴＯＣ（Ｔａｂｌｅ  Ｏｆ  Ｃｏｎｔｅｎｔｓ）情報を受信し、その情報を元に曲情報を取得する指示を通信手段１０６に通知する。また、通信手段１０６を経て曲情報管理サーバ１０８から曲情報を取得する。ここで曲情報とは、タイトル、アーティスト名、アルバム名などの情報である。
【００２６】
ＤＢ管理手段１０４は記録媒体１０５に保存されているＤＢファイルを読み込み、曲情報取得手段１０３が得た曲情報が現在のＤＢファイルに未登録である場合、ＤＢファイルを更新する。ＤＢファイルには、これまでデジタルコンテンツ記録装置１０１に挿入された音楽ＣＤに含まれていた曲情報が記録されている。曲情報は、例えば、タイトル、アーティスト名、アルバム名などの項目、すなわち曲情報取得手段１０３が取得してきた情報のほかに、記録媒体１０５に保存されているオーディオデータのファイル名や「その曲のオーディオデータを記録媒体１０５に記録することを許可するか否か」を示す“オーディオデータ取得許可”なる項目を含んでいる。ＤＢ管理手段１０４はこのオーディオデータ取得許可の項目にチェックがある曲についてはオーディオデータ取得手段１０７にオーディオデータ取得指示をする。また、オーディオデータの取得（記録媒体１０５への記録）が完了したときは取得完了通知をオーディオデータ取得手段１０７から受信し、ＤＢファイルを更新する。具体的にはオーディオデータの取得を完了した曲のファイル名を記録し、オーディオデータ取得許可の項目のチェックを外す。
【００２７】
記録媒体１０５はＤＢファイルやオーディオデータが記録されている、たとえばＨＤＤである。その大容量を活かして、他のアプリケーションなどで利用するデジタルデータを同様の記録媒体１０５に保存してもよい。
【００２８】
通信手段１０６は曲情報取得手段１０３の指示により、挿入された音楽ＣＤ１１０に含まれる曲の情報を、例えば無線通信（インターネット）により曲情報管理サーバ１０８から取得する。曲情報管理サーバ１０８とは、様々な曲情報がデータベースとして保存されている、例えばＣＤＤＢ（ＣＤ  ＤａｔａＢａｓｅ）である。曲情報管理サーバ１０８はＴＯＣ情報を基に、その曲がデータベース内のどの曲であるかを判別し、曲情報（タイトル、アーティスト名、アルバム名など）を通知する。
【００２９】
オーディーデータ取得手段１０７はＤＢ管理手段１０４の指示により、コンテンツサーバ１０９と通信が可能なときに指定された曲のオーディオデータを取得する。コンテンツサーバ１０９には様々な曲のオーディオデータがＭＰ３形式で圧縮されて保存されている、例えば、家庭内にあるオーディオ用ホームサーバである。コンテンツサーバ１０９は通信機能を備えており、外部からのアクセスが可能であるとする（図示せず）。
【００３０】
以上のように構成されたデジタルコンテンツ記録システムについて、その動作の詳細を説明する。
【００３１】
図２は音楽ＣＤ１１０が挿入されたときのＤＢファイル更新処理のフローチャートである。まず、音楽ＣＤ１１０をＣＤドライブ１０２に挿入する（ステップＳ２０１）。このとき挿入される音楽ＣＤ１１０は私的利用の範囲でリッピングが許可されているものである。
【００３２】
音楽ＣＤ１１０を挿入されたＣＤドライブ１０２はＴＯＣ情報を読み込む（ステップＳ２０２）。読み込まれたＴＯＣ情報は曲情報取得手段１０３へ通知される。
【００３３】
曲情報取得手段１０３はＣＤドライブ１０２が読み込んだＴＯＣ情報を用いて、音楽ＣＤ１１０に記録されている曲の情報を取得する（ステップＳ２０３）。具体的には通信手段１０６を経て曲情報管理サーバ１０８にＴＯＣ情報を通知し、曲情報管理サーバ１０８から曲情報を取得する。曲情報取得手段１０３は取得した情報をＤＢ管理手段１０４に通知する。
【００３４】
ＤＢ管理手段１０４は記録媒体１０５に保存されている現在のＤＢファイルを読み込む（ステップＳ２０４）。なお、ＤＢファイルは記録媒体１０５に保存されているとしているが、これに限らず、専用のメモリなどに保存されていてもよい。そのときは専用メモリからＤＢファイルを読み込むようにする。
【００３５】
次に、ＤＢ管理手段１０４は曲情報取得手段１０３が取得した音楽ＣＤ１１０に記録されている曲の情報と、記録媒体１０５から読み込んだＤＢファイルを比較し、音楽ＣＤ１１０内の曲が新しいものであるかどうかを判定する（ステップＳ２０５）。この判定は曲単位で行うものとする。たいていの音楽ＣＤには複数の曲が記録されているので、初めにステップＳ２０５を実行するときは１曲目（トラックＮｏ．１）の曲が判定の対象であるとする。
【００３６】
このステップＳ２０５での判定では、曲情報取得手段１０３が取得した曲情報がＤＢファイル内に含まれていなければ新しい曲であると判断する。新しい曲と判断した場合はステップＳ２０６へ進み、そうでない場合はＤＢファイルを更新する必要がないのでステップＳ２０７へ進む。
【００３７】
ステップＳ２０６において新しい曲であると判断された場合は記録媒体１０５に保存されているＤＢファイルの内容を更新する（ステップＳ２０６）。具体的には、判定の対象となった曲の情報を現在のＤＢファイルに追加する。このときＤＢファイルにあるオーディオデータ取得許可の項目にチェックを入れる。また、この時点ではオーディオデータ自体は記録媒体１０５には保存されていないので、ファイル名は空白となる。このステップＳ２０６の処理はＤＢ管理手段１０４が行う。
【００３８】
ステップＳ２０７では判定の対象となっていた曲が音楽ＣＤ１１０に含まれる曲の最後の曲であるかどうかを判断する。ＤＢ管理手段１０４は曲情報取得手段より受信した曲情報によりこれを判断する。最後の曲である場合（ステップＳ２０７にてＹＥＳ）は、このＣＤ挿入時のＤＢファイル更新処理を終了する。最後の曲でない場合（ステップＳ２０７にてＮＯ）は、ステップＳ２０８へ進む。ステップＳ２０８では、次の曲（トラックＮｏ．の次のもの）を判定の対象として、ステップＳ２０５に戻り同様の処理を繰り返す。以上説明した動作により、ＣＤ挿入時にＤＢファイルを更新する。
【００３９】
図３にＤＢファイルの一例を示す。ＤＢファイルはリスト３０１の情報が含まれており、ここでは、各曲毎に、ファイル名、タイトル、アーティスト名、アルバム名、トラックＮｏ．、オーディオファイル取得許可、の項目が記録されている。他にも項目を含んでいてよいが、本実施の形態では省略する。例えば、“Ａ１”という曲は、ファイル名が、“01_A1.mp3”、アーティスト名が“ＴＡＲＯ”、アルバム名が“ＢＥＳＴ”、トラックＮｏ．が“１”である。オーディオデータ取得許可の項目にはチェックが入っていないため、この曲のオーディオデータは既に記録媒体１０５に保存されている。なお、記録媒体１０５には“01_A1.mp3”というファイル名で保存されている。他の曲に関しても同様である。
【００４０】
図４に曲情報取得手段１０３が取得する曲情報の一例を示す。この例では曲情報はリスト４０１の情報が含まれているとする。各曲毎にタイトル、アーティスト名、アルバム名、トラックＮｏ．が項目として取得される。他にも項目を含んでいてよいが、本実施の形態では省略する。例えば、“Ｃ１”という曲は、アーティスト名が“ＳＡＢＵＲＯ”、アルバム名が“ＳＰＥＣＩＡＬ”、トラックＮｏ．が“１”である。他の曲に関しても同様である。
【００４１】
図５は、現在のＤＢファイルがリスト３０１、挿入された音楽ＣＤ１１０の曲情報がリスト４０１であったときに、ＤＢ管理手段１０４によって更新された後のＤＢファイルである。リスト３０１に、リスト４０１の情報が加えられている。追加した曲（“Ｃ１”，“Ｃ２”，“Ｃ３”）に関しては、まだオーディオデータが取得されていないので、ファイル名がなく、そしてオーディオデータ取得許可の項目にチェックが入る。つまり、これらの曲はＤＢファイルには登録されたが、オーディオデータが記録媒体１０５に保存されていないことを意味している。
【００４２】
次に、オーディオデータ取得許可の項目にチェックが入っている曲のオーディオデータ取得処理について図６のフローチャートを用いてその動作の詳細を説明する。
【００４３】
まず、ＤＢ管理手段１０４がオーディオデータ取得許可の項目にチェックがあるかどうかを確認する（ステップＳ３０１）。この確認は、例えば、ＤＢファイルの更新のときに行う。チェックがある場合、すなわち、新曲を登録するときはステップ３０２に進み、そうでない場合は、オーディオデータが既に記録媒体１０５に保存されているということを意味するのでオーディオデータ取得処理を終了する。
【００４４】
次に、ＤＢ管理手段１０４はオーディオデータ取得許可の項目にチェックがある曲のオーディオデータ取得指示をオーディオデータ取得手段１０７に行う（ステップＳ３０２）。
【００４５】
オーディオデータ取得手段１０７はコンテンツサーバ１０９と通信が可能であるかどうかを確認する（ステップＳ３０３）。ここでは、例えば、無線通信（インターネット）で通信を行う。通信ができない場合は通信可能になるまで待機する。つまり、ステップＳ３０３を繰り返す。通信が可能な場合はステップＳ３０４へ進む。
【００４６】
オーディオデータ取得手段１０７がコンテンツサーバ１０９と通信可能と判断したら、コンテンツサーバに所望のオーディオデータが保存されているかを確認する（ステップＳ３０４）。所望のオーディオデータが保存されている場合はステップＳ３０５へ進み、そうでない場合はステップＳ３０６へ進む。なお、オーディオデータは、１曲毎に取得することとし、取得する順番は、例えば、ＤＢファイルに登録された順とする。
【００４７】
所望のオーディオデータがコンテンツサーバ１０９に保存されているときは、オーディオデータの取得を開始する。この取得時にはデータはセキュリティの観点から暗号化されて伝送されることが望ましいが、本発明の主たる問題ではないので詳しい説明は省略する。なお、実際の通信はパケット通信などで行われる。
【００４８】
所望のオーディオデータの取得が完了、もしくは所望のオーディオデータがコンテンツサーバ１０９に保存されていない場合は、ダウンロード対象となる曲が他にないかを確認する（ステップＳ３０６）。他にダウンロード対象の曲がないなら、オーディオデータ取得処理を終了する。ダウンロード対象の曲がまだある場合はステップＳ３０７へ進む。なお、対象の曲のオーディオデータ取得が完了したときは、オーディオデータ取得手段１０７はＤＢ管理手段１０４に取得完了を通知し、その通知を受けて、ＤＢ管理手段１０４はＤＢファイルを更新する。
【００４９】
ステップＳ３０７では、オーディオデータ取得の対象となる曲を変更し、Ｓ３０４に進む。あとは同様の処理を繰り返す。
【００５０】
以上、説明した動作により、デジタルコンテンツ記録装置１０１はオーディオデータを取得する。
【００５１】
オーディオデータ取得はＤＢファイルに登録された順に行うとしたが、取得する優先順位を変更してもよい。図６のフローチャート内のステップＳ３０４でコンテンツサーバ１０９にオーディオデータが保存されているか否かを確認するが、ここで保存されていない（ステップＳ３０４でＮＯとなる）場合はその曲のダウンロードの順番を最後にする。このようにすることで、デジタルコンテンツ記録装置１０１（実際にはオーディオデータ取得手段１０７）とコンテンツサーバ１０９の通信が頻繁に途切れるときなど、コンテンツサーバ１０９に保存されているオーディオデータに変更がないと考えられるとき、通信が一度遮断されて再接続したときに再びオーディオデータが保存されていないと判断された曲について再確認することを防ぐことができる。また、オーディオデータ取得予定の曲のオーディオデータがすべてコンテンツサーバ１０９に保存されていないようなときは、オーディオデータ取得を次の日以降に行うなどしてもよい。このようにすることで無駄な通信を防ぐことができる。
【００５２】
以上、説明したデジタルコンテンツ記録システムにより、ＣＤリッピングが完了していなくてもディスクを取り出すことができ、容易に音楽ＣＤ内の曲を記録媒体に保存することができる。取得して記録媒体に保存するオーディオデータは、一度はＣＤを挿入したものであるので、無造作なデジタルデータの複製を防ぐ効果もある。また、曲情報に基づいて管理するため、新たにＩＤなどを用意する必要もない。
【００５３】
なお、オーディオデータの取得はコンテンツサーバから行うとしたが、これに限られたものではない。図７は本実施の形態のシステム構成の他の例を示す図である。デジタルコンテンツ記録装置７０１は図１で示したデジタルコンテンツ記録装置１０１とは、オーディオデータ取得手段１０７がメモリカードドライバ７０２となっただけで、あとの構成は変わらない。機能についても同様のため図１ど同じ番号付をし、説明は省略する。
【００５４】
メモリカード７０３には圧縮されたオーディオデータが含まれている。これらをコンテンツサーバ１０９と見立てて、取得対象の曲のオーディオデータが含まれている場合はメモリカード７０３から所望のオーディオデータを記録媒体１０５へ記録する。
【００５５】
同様に、図７のシステムにおいてメモリカード７０３はＨＤＤ付ポータブルデジタルコンテンツプレーヤとしてもよい。またＭＰ３などのオーディオデータで作成されたＣＤ−ＲやＤＶＤ−Ｒでもよい。
【００５６】
また、デジタルコンテンツ記録装置が様々な曲情報のデータベースを保持しておき、そのデータベースから音楽ＣＤの曲情報を取得するとしてもよい。この場合は、曲情報管理サーバは省略することができる。
【００５７】
また、コンテンツサーバは、オーディオ用ホームサーバとしたがこれに限られたものではない。同様の機能を有するＰＣ（Ｐｅｒｓｏｎａｌ  Ｃｏｍｐｕｔｅｒ）でもよい。あるいは、第三者（レコード会社やＣＤレンタル会社）などが用意した専用サーバなどでもよい。
【００５８】
また、本実施の形態におけるデジタルコンテンツ記録システムでは、オーディオデータを取得して記録媒体に保存するとしたがこれに限られたものではない。現状のシステムのように圧縮手段を設けて、挿入された音楽ＣＤをリッピングするとして、リッピングが完了しなかった曲に対してのみあとでオーディオデータを取得するとしてもよい。
【００５９】
また、ＤＢファイルにはオーディオデータ取得許可の項目があり、この項目にチェックがあるか否かでオーディオデータ取得指示を行うとしたが、これに限られたものではない。例えば、ファイル名があるか否かでその判断をしてもよい。
【００６０】
また、オーディオデータ取得処理においてオーディオデータ取得指示はＤＢファイル更新時に行うとしたが、これに限られたものではない。例えば、デジタルコンテンツ記録装置とコンテンツサーバが通信可能になったときに通信手段がＤＢ管理手段に問い合わせるようにしてもよい。
【００６１】
また、オーディオデータ取得はＤＢファイルに登録した順に行うとしたが、これに限られたものではない。曲名順やアルバム名順など、いかなる順序でも同様のシステムを構築することが可能である。
【００６２】
また、本実施の形態のデジタルコンテンツ記録システムでは、デジタルコンテンツ記録装置からオーディオデータ取得の要求を出すＰｕｌｌ型の通信であるが、コンテンツサーバから送信要求を出すＰｕｓｈ型の通信としても同様のシステムを構成することができる。このときは、コンテンツサーバがデジタルコンテンツ記録装置のＤＢファイルを読み込み、送信するオーディオデータを判断するようにすればよい。
【００６３】
また、本実施の形態ではデジタルコンテンツ記録装置として説明したが、たとえば、ホーム用のステレオ機器としてシステムを構築することができる。また、本実施の形態のデジタルコンテンツ記録装置を車に設置した場合には、利用時間に制限があるため、ＣＤリッピングの完了を待つことなく、ディスクを取り出しても記録媒体にデジタルオーディオデータが記録されるという効果をより享受できる。
【００６４】
また、記録媒体はＨＤＤとしたが、他の記録媒体であっても同様のシステムを構築することができる。
【００６５】
また、通信手段が行う通信は無線通信（インターネット）としたが、これに限られたものではない。赤外線通信などでもよく、あるいは有線通信としても同様のシステムを構築することができる。
【００６６】
また、オーディオデータはＭＰ３で圧縮されているとしたが、これに限られたものではない。ＡＡＣ（Ａｄｖａｎｃｅｄ  Ａｕｄｉｏ  Ｃｏｄｉｎｇ）などの他の圧縮形式のものでもよく、あるいは非圧縮のデータであっても同様のシステムを構築することができる。
【産業上の利用可能性】
【００６７】
以上のように、本発明にかかるデジタルコンテンツ記録装置およびデジタルコンテンツ記録方法は、リッピング処理を待つことなくディスクを取り出すことができ、ＨＤＤなどの記録媒体にオーディオデータを容易に保存することができるという効果を有し、ホーム用、移動体用のＡＶシステム等として有用である。
【図面の簡単な説明】
【００６８】
【図１】本発明の実施の形態におけるデジタルコンテンツ記録システムのブロック図
【図２】本発明の実施の形態におけるＣＤ挿入時のＤＢファイル更新処理の動作説明のためのフローチャート
【図３】本発明の実施の形態におけるＤＢファイルの情報を表したリストの一例を示す図
【図４】本発明の実施の形態における曲情報取得手段１０３が取得する曲情報のリストの一例を示す図
【図５】本発明の実施の形態における内容を更新したＤＢファイルのリストの一例を示す図
【図６】本発明の実施の形態におけるオーディオデータ取得処理の動作説明のためのフローチャート
【図７】本発明の実施の形態におけるデジタルコンテンツ記録システムの他の例のブロック図
【符号の説明】
【００６９】
１０１、７０１    デジタルコンテンツ記録装置
１０２    ＣＤドライブ
１０３    曲情報取得手段
１０４    ＤＢ管理手段
１０５    記録媒体
１０６    通信手段
１０７    オーディオデータ取得手段
１０８    曲情報管理サーバ
１０９    コンテンツサーバ
１１０    音楽ＣＤ
３０１、５０１    ＤＢファイルの情報を表したリスト
４０１    曲情報を表したリスト
７０２    メモリカードドライバ
７０３    メモリカード
【図１】
2006309840.tif 000003
【図２】
2006309840.tif 000004
【図３】
2006309840.tif 000005
【図４】
2006309840.tif 000006
【図５】
2006309840.tif 000007
【図６】
2006309840.tif 000008
【図７】
2006309840.tif 000009